(57)【特許請求の範囲】
【請求項１】
側板又は支柱に設けられた係止穴に取り付けられた支持具によって支持される棚板を備える棚に用いられる棚板押さえ具であって、前記棚板押さえ具は、前記側板又は支柱に存在する係止穴と嵌合する嵌合部と、本体部とを有し、前記本体部は、前記嵌合部を前記係止穴に嵌合させて前記係止穴に取り付けたとき、前記係止穴周辺部と当接する部分を有する裏面と、前記裏面と距離を隔てて背中合わせに対向する表面と、前記裏面の下辺と前記表面の下辺との間に形成される下面と、前記裏面の上辺と前記表面の上辺との間に形成される上面とを有し、前記本体部は、前記上面を上、前記下面を下にしたとき、前記裏面側を弦とする中心角１８０度以下の円弧状の水平断面形状を有しており、前記嵌合部の上下方向中心から前記下面までの垂直方向距離が、前記嵌合部が嵌合する係止穴の上下方向中心から前記係止穴下方に支持される棚板の上面までの垂直方向距離と略等しい長さに選ばれている棚板押さえ具。
【請求項２】
前記嵌合部の上下方向中心から前記本体部の前記下面までの垂直方向距離が、前記嵌合部が嵌合する係止穴の上下方向中心から前記係止穴下方に支持される第１の厚さを有する棚板の上面までの垂直方向距離と略等しい長さに選ばれており、前記嵌合部の上下方向中心から前記本体部の前記上面までの垂直方向距離が、前記嵌合部が嵌合する係止穴の上下方向中心から前記係止穴下方に支持される第２の厚さを有する棚板の上面までの垂直方向距離と略等しい長さに選ばれている請求項１記載の棚板押さえ具。
【発明の詳細な説明】
【技術分野】
【０００１】
本発明は棚板押さえ具に関し、詳細には、書架や陳列棚等の棚における棚板が外力によって外れるのを防止する棚板押さえ具に関する。
【背景技術】
【０００２】
書架や陳列棚等の棚は、通常、左右一対の側板間に棚板を一段又は複数段に懸架することによって構成されている。しかし、棚板が左右の側板に強固に結合されている棚は希で、棚板間の上下方向の間隔を調整したり、棚板を取り外し自在としたりする必要上、棚板は、側板の適宜の位置に取り付けられた係止具に係合、係止されて側板間に懸架されているのが一般的である。
【０００３】
しかし斯かる従来の棚においては、例えば地震などによって棚板に上方に突き上げる力が作用した場合、棚板が上方に飛び出して棚上に載置されている書籍等の陳列物が落下したり、最悪の場合には棚板が係止具から外れて落下してしまう恐れがある。
【０００４】
従来から、例えば地震時など不測の外力の作用時に書籍等の載置物が棚から落下するのを防止する工夫としては、例えば、特許文献１、２に見られるように棚板を前上がりに傾斜させたり、特許文献３、４に見られるように棚板前面に落下防止用のガードを取り付けたりすることが提案されている。しかし、これらの提案は棚板上に収容されている書籍等の載置物が棚から落下するのを防止するためのものであり、棚板自体が側板の係止具から外れて落下するのを防止するものではない。
【０００５】
一方、特許文献５には、側板に取り付けたダボに棚板を係止させる構造の棚において、地震時などにおいて棚板がダボから外れて落下するのを防止するために、ダボの外径に合わせた丸穴を有する逆Ｌ字状の棚外れ防止具をダボに嵌挿し、当該棚外れ防止具の上面部に貼着した接着部材の上に棚板を固着するようにした棚が提案されている。しかし、この提案においては、棚板は棚外れ防止具の上面部に接着部材で固着されているだけであるので、強い外力が掛かった場合には棚板が棚外れ防止具から外れてしまう恐れがある。また、ダボに嵌挿した逆Ｌ字状の棚外れ防止具の上面に棚を固着するようにしているので、懸架される棚の位置が本来ダボによって規制される位置とは異なってしまうという欠点がある。
【先行技術文献】
【特許文献】
【０００６】
【特許文献１】特開２００８−１１９１７５号公報
【特許文献２】実用新案登録第３１７８３３０号公報
【特許文献３】特開平１１−１７８６６５号公報
【特許文献４】特開２００６−１５８８０８号公報
【特許文献５】実用新案登録第３０９７２４２号公報
【発明の概要】
【発明が解決しようとする課題】
【０００７】
本発明は、上記従来技術の欠点を解消するために為されたもので、棚板を本来の懸架位置に懸架した状態で、下から上方に向かって突き上げる強い外力が加えられた場合でも、棚板が上方に飛び出したり、係止具から外れて落下したりするのを有効に防止することができる棚板押さえ具を提供することを課題とする。
【課題を解決するための手段】
【０００８】
本発明者は上記の課題を解決すべく鋭意研究努力を重ねた結果、本来、棚板の高さを調節可能とするために側板又は支柱に複数設けられている係止穴を利用し、該係止穴に取り付けられた支持具によって支持懸架されている棚板よりも上方に位置し、かつ、支持具が取り付けられていない係止穴に棚板押さえ具を取り付け、前記棚板押さえ具の下面を下方に支持懸架されている棚板に当接乃至は近接させることによって、棚板を本来の懸架位置に支持した状態で、強い上向きの外力が加わった場合でも、棚板の上方への飛び出しや落下を有効に防止できることを見出した。
【０００９】
すなわち、本発明は、側板又は支柱に設けられた係止穴に取り付けられた支持具によって支持される棚板を備える棚に用いられる棚板押さえ具であって、前記棚板押さえ具は、前記側板又は支柱に存在する係止穴と嵌合する嵌合部と、本体部とを有し、前記本体部は、前記嵌合部を前記係止穴に嵌合させて前記係止穴に取り付けたとき、前記係止穴周辺部と当接する部分を有する裏面と、前記裏面と距離を隔てて背中合わせに対向する表面と、前記裏面の下辺と前記表面の下辺との間に形成される下面とを有し、前記嵌合部の上下方向中心から前記下面までの垂直方向距離が、前記嵌合部が嵌合する係止穴の上下方向中心から前記係合穴下方に支持される棚板の上面までの垂直方向距離と略等しい長さに選ばれている棚板押さえ具を提供することによって上記の課題を解決するものである。
【００１０】
通常、書架等の棚においては、側板間又は支柱間に懸架される棚板の高さを調節自在とするために、左右一対の側板又は左右二対の支柱の互いに対向する内側面に、棚板を支持する支持具を係止する係止穴が上下方向に等間隔で設けられている。しかし、棚板の支持、懸架に用いられる係止穴はその内の一部であって、他の係止穴は使用されずに存在している。本発明の棚板押さえ具は、使用されずにある係止穴に取り付けることによって、地震などの際に上方に突き上げる力が棚板に加わった場合でも、棚板が上方に飛び出したり、係止具から外れて落下したりするのを防止することを可能とするものである。すなわち、本発明の棚板押さえ具においては、係止穴に嵌合する嵌合部の上下方向中心から本体部下面までの垂直方向距離が、前記嵌合部が嵌合する係止穴の上下方向中心から前記係合穴下方に支持懸架される棚板の上面までの垂直方向距離と略等しい長さに設定されているので、棚板を懸架した後に、棚板の上方に位置する使用されていない係止穴に本発明の棚板押さえ具を取り付けると、棚板押さえ具の本体部下面は棚板の上面と当接乃至は近接し、上方への外力が加わった場合でも、棚板が上方に飛び出したり、係止具から外れて落下したりするのを防止する。なお、本発明の棚板押さえ具が取り付けられる係止穴は、側板又は支柱に既に設けられているものであるのが好ましいが、本発明の棚板押さえ具を取り付けるために新規に設けられた係止穴であっても良い。
【００１１】
本発明の棚板押さえ具は、その好ましい一態様において、前記本体部が、前記裏面の上辺と前記表面の上辺との間に形成される上面を有し、前記嵌合部の上下方向中心から前記上面までの垂直方向距離が、前記嵌合部が嵌合する係止穴の上下方向中心から前記係合穴下方に支持、懸架される棚板の上面までの垂直方向距離と略等しい長さに選ばれている。斯かる場合には、本発明の棚板押さえ具は、その上下を逆にしても同様に使用することができるので装着が容易となり便利である。
【００１２】
さらに、本発明の棚板押さえ具は、その好ましい他の一態様において、前記嵌合部の上下方向中心から前記下面までの垂直方向距離が、前記嵌合部が嵌合する係止穴の上下方向中心から前記係合穴下方に支持、懸架される第１の厚さを有する棚板の上面までの垂直方向距離と略等しい長さに選ばれているとともに、前記嵌合部の上下方向中心から前記上面までの垂直方向距離が、前記嵌合部が嵌合する係止穴の上下方向中心から前記係止穴下方に支持、懸架される第２の厚さを有する棚板の上面までの垂直方向距離と略等しい長さに選ばれている。本発明の棚板押さえ具が斯かる構成を備える場合には、本発明の棚板押さえ具を上下逆にして側板の係止穴に取り付けることによって、厚さが異なる２種類の棚板に対応することができるので極めて便利である。
【００１３】
本発明の棚板押さえ具における本体部の形状は、本体部の下面又は上面で棚板の上方への飛び出しや落下を防止することができるものであれば良く、基本的に特段の制限はないが、本発明の棚板押さえ具の好ましい一態様において、本体部の水平断面形状は、本体部の前記裏面側を弦とする中心角１８０度以下の円弧状、本体部の裏面側を弦とする中心角１８０度以下の弓形状、四角形状、又は、本体部の裏面側を開口側とするコの字型状である。本体部が上記のような水平断面形状を有している場合には、本発明の棚板押さえ具を係止穴に取り付けた時、棚板押さえ具の本体部が、その上下方向の広い範囲において係止穴周辺部と接触、当接することになるので、取り付け状態が安定し、好ましい。
【００１４】
中でも、本体部の水平断面形状が、本体部の裏面側を弦とする中心角１８０度以下の円弧状であるか、或いは、本体部の裏面側を弦とする中心角１８０度以下の弓形状である場合には、本体部の表面形状が棚板の前後方向に対して滑らかな曲面を描くことになり、書籍などの物品の収納や取り出しをスムースに行うことができるばかりでなく、書籍などの物品の端部が棚板押さえ具の角とぶつかって損傷を受けることも少ないのでより好ましい。
【００１５】
さらに、本体部の水平断面形状が、本体部の裏面側を弦とする中心角１８０度以下の円弧状であるか、体部の裏面側を開口側とするコの字型状である場合には、嵌合部を構成する後述する舌片の長さを長くとることができるので、それら舌片の弾性が増し、取り付け、取り外しを容易に行うことができるという利点が得られる上に、係止穴の周辺部と棚板押さえ具の本体部裏面との間に間隙が形成されるので、その間隙に指先やドライバーの先端などを差し入れて本発明の棚板押さえ具を簡単に取り外すことができるという利点も得られる。
【００１６】
因みに、本発明の棚板押さえ具において上下とは、本発明の棚板押さえ具を側板又は支柱の係止穴に取り付けたときの上下方向を意味している。したがって、本体部の水平断面形状とは、嵌合部を係止穴に嵌合させて本発明の棚板押さえ具を側板に取り付けたときの水平方向の断面形状をいうものである。
【００１７】
さらに、本発明の棚板押さえ具は、その好ましい他の一態様において、前記嵌合部が、弾性を有する上舌片及び下舌片を有し、前記上舌片及び前記下舌片には、それぞれ上方及び下方に突出する山型の凸部が形成されている。斯かる嵌合部は、係止穴が、その開口部よりも少なくとも上下方向に広がった空間を内部に備えている係止穴である場合に適している。このような係止穴は、例えば、同じ出願人による特許第４７４６８３１号公報に開示されているように、側板に設けられた溝に、複数の係止穴が形成された断面コの字型の金具を取り付けることによって形成することができる。或いは、中空の側板又は支柱を打ち抜いて係止穴となる開口部を設けることによっても形成することができる。
【００１８】
本発明の棚板押さえ具における嵌合部が、弾性を有する上下舌片を有し、これら上下舌片が、それぞれ上方及び下方に突出する山型の凸部を備えている場合には、それら凸部が係止穴内部に位置するように嵌合部を係止穴に嵌合させることによって、それら凸部が係止穴内部の空間で互いに離間する方向に広がり抜け止めとして機能し、本発明の棚板押さえ具を安定的に係止穴に取り付けることができる。特に、嵌合時において、前記山型の凸部の上下舌片の根元側の斜面が、係止穴を形成している部材の係止穴内側の縁部と当接するように前記山型の凸部の位置が選ばれている場合には、前記上下舌片の弾性力によって、棚板押さえ具には常に係止穴内側に向かう力が作用し、本発明の棚板押さえ具の係止穴への取付はより安定したものとなる。
【００１９】
本発明の棚板押さえ具は、主として図書館等で用いられる書架の棚板に適用して有効であるが、対向する左右一対の側板間、或いは対向する左右二対の支柱間に支持、懸架される棚板を有する棚であれば、その収容物や設置場所には特段の制限はなく、陳列棚、整理棚、収容棚等の棚板に適用しても良いことは勿論である。
【発明の効果】
【００２０】
本発明の棚板押さえ具によれば、本発明の棚板押さえ具を係止穴に取り付けるだけの簡単な作業で、対向する側板間又は支柱間に支持、懸架される棚板の本来の支持高さを変えることなく、下から上方に向かって突き上げる強い外力が加えられた場合でも、棚板が上方に飛び出したり、支持具から外れて落下したりするのを有効に防止することができるという利点が得られる。本発明の棚板押さえ具は側板又は支柱に形成されている係止穴に嵌合するだけで良く、取り付けが簡単で、棚板の位置を変更する場合でも容易に対応することが可能である。さらに、本発明の棚板押さえ具において、嵌合部の上下方向中心位置から上面又は下面までの垂直方向距離を異ならせる場合には、上下逆向きに係止穴に嵌合することによって、厚さの異なる棚板にも対応することができるという利点が得られる。
【図面の簡単な説明】
【００２１】
【図１】本発明の棚板押さえ具の一例を示す正面図である。
【図２】図１に示す本発明の棚板押さえ具の背面図である。
【図３】図１に示す本発明の棚板押さえ具の右側面図である。
【図４】図１に示す本発明の棚板押さえ具の平面図である。
【図５】図１のＸ−Ｘ‘断面図である。
【図６】図１のＹ−Ｙ‘断面図である。
【図７】嵌合部の拡大背面図である。
【図８】嵌合部の拡大平面図である。
【図９】嵌合部の拡大垂直断面図である。
【図１０】嵌合部の他の一例を示す拡大背面図である。
【図１１】図１０に示す嵌合部の拡大平面図である。
【図１２】本発明の棚板押さえ具が適用される棚の一例を示す斜視図である。
【図１３】側板に係止穴用金具を取り付ける状態を示す組立図である。
【図１４】側板の部分拡大断面図である。
【図１５】本発明の棚板押さえ具の使用状態を示す図である。
【図１６】係止穴と嵌合状態にある嵌合部とその周辺部だけを示す部分拡大断面図である。
【図１７】側板の部分拡大断面図である。
【図１８】本発明の棚板押さえ具の他の使用状態を示す図である。
【図１９】本発明の棚板押さえ具の他の一例を示す平面図である。
【図２０】図１９に示す棚板押さえ具の水平断面図である。
【図２１】本発明の棚板押さえ具のさらに他の一例を示す平面図である。
【図２２】本発明の棚板押さえ具のさらに他の一例を示す平面図である。
【図２３】本発明の棚板押さえ具のさらに他の一例を示す正面図である。
【発明を実施するための形態】
【００２２】
以下、図面を用いて本発明を詳細に説明するが、本発明が図示のものに限られないことは勿論である。
【００２３】
図１は、本発明の棚板押さえ具の一例を示す正面図、図２はその背面図、図３はその右側面図、図４はその平面図である。図１〜図４において、１は本発明の棚板押さえ具であり、棚板押さえ具１は本体部２と、本体部２と結合された嵌合部３とを有している。４は本体部２の表面、５は本体部２の裏面であり、表面４と裏面５とは互いの間に距離を隔てて背中合わせに対向している。６は表面４の下辺と裏面５の下辺との間に形成される下面、７は表面４の上辺と裏面５の上辺との間に形成される上面である。５ａ、５ｂは嵌合部３を側板又は支柱の係止穴に嵌合して棚板押さえ具１を取り付けたとき、裏面５が係止穴の周辺部と当接する部分である。なお、本発明の棚板押さえ具１において、上下方向とは本体部２の上面７と下面６とを結ぶ方向をいうものとする。
【００２４】
図５は図１のＸ−Ｘ‘断面図、すなわち、水平断面図である。図５に示すとおり、本例の棚板押さえ具１における本体部２の水平断面形状は、本体部２の裏面５側を弦とし、表面４側を弧とする円弧状である。図５において、αで示す円弧の中心角は１８０度以下であるのが好ましく、より好ましくは９０度以上１５０度以下であり、１００度以上１４０度以下が最も好ましい。円弧の中心角αが１８０度を超えると、弦の長さに比べて弧の長さが長くなり過ぎ、棚板押さえ具１を棚の側板又は支柱の係止穴に取り付けた状態で、棚の手前側若しくは奥行き側に向かう水平方向の外力が掛かると棚板押さえ具１が係止穴から外れ易くなるので好ましくない。一方、円弧の中心角αが９０度未満になると、本体部２の表面４が前方に突出する長さが短くなり過ぎて、棚板押さえ具１を係止穴に嵌合しても下方に支持、懸架されている棚板の上面と十分に当接しなくなる恐れがあるので好ましくない。なお、本体部２の水平断面形状が、本体部２の裏面５側を弦とし、表面４側を弧とする円弧状である場合には、係止穴の周辺部と本体部２の裏面５との間に間隙が生まれるので、棚板押さえ具１を取り外す際には、その間隙に指先やドライバーの先端などを差し入れることができ、極めて便利である。
【００２５】
図６は図１のＹ−Ｙ’断面図、すなわち、垂直断面図である。図６に示すとおり、嵌合部３は本体部２の裏面５に結合されている。本体部２と嵌合部３とは、例えば、ポリプロピレンやポリエチレンなどの適度の弾性を備えた合成樹脂で一体に形成するのが好ましいが、本体部２と嵌合部３とを別々に形成した後、両者を接着又は融着などの適宜の手段で結合しても良い。なお、ポリプロピレンやポリエチレンは使用できる好適な合成樹脂の一例であって、適度の弾性を備えるものであれば他の合成樹脂を用いても良い。また、本体部２と嵌合部３とを異なる材料で構成しても良い。
【００２６】
図６中、Ｌは嵌合部３の上下方向中心を通る水平な中心線であり、Ｍは嵌合部３の上下方向の中心から下面６までの垂直方向距離を、Ｎは嵌合部３の上下方向の中心から上面７までの垂直方向距離を表している。本例において、垂直方向距離Ｍと垂直方向距離Ｎとは異なっており、後述するとおり、それぞれ、嵌合部３が嵌合する係止穴の上下方向中心から当該係合穴下方に支持される第１の厚さを有する棚板の上面までの垂直方向距離、及び、嵌合部３が嵌合する係止穴の上下方向中心から当該係止穴下方に支持される第２の厚さを有する棚板の上面までの垂直方向距離と等しいか、略等しい長さに設定されている。垂直方向距離Ｍと垂直方向距離Ｎは、それぞれ、第１の厚さを有する棚板の上面までの前記垂直方向距離、及び、第２の厚さを有する棚板の上面までの前記垂直方向距離よりも若干短くても良いが、それぞれの前記垂直距離と等しいか、若干長めに設定されている場合には、棚板押さえ具１を係止穴に取り付けたとき、本体部２の下面６又は上面７は下方に支持、懸架されている棚板の上面と当接するので、棚板のガタつきが無くなり、より安定的に棚板を支持、懸架することができるという利点が得られるので好ましい。
【００２７】
図７、図８、図９は、それぞれ、嵌合部３だけを取り出して示す拡大背面図、拡大平面図、及び図７におけるＺ−Ｚ‘拡大垂直断面図である。図７〜図９において、８ａは上舌片、８ｂは下舌片、９は左右の枠体、１０は比較的薄く形成された可撓部である。上舌片８ａ及び下舌片８ｂは、可撓部１０を介して左右の枠体９に連結されているので、上向き又は下向きに力が掛かると下方向又は上方向に移動し、力がなくなると再び元の位置にもどる弾性を有している。
【００２８】
１１は垂直断面が山型の凸部であり、凸部１１は裏面５側、すなわち上下舌片８ａ、８ｂの根元側の傾斜１１ａと、頂部１１ｂと、先端側の傾斜１１ｃとから構成されており、凸部１１は上舌片８ａ及び下舌片８ｂのそれぞれの先端部側に設けられている。図９に示すとおり、根元側の傾斜１１ａよりも先端部側の傾斜１１ｃの方が緩やかに形成されており、嵌合部３は係止穴に嵌合する方向にはスムースに、外す方向には外れ難くなっている。
【００２９】
なお、可撓部１０はなくても良く、例えば、図１０の拡大背面図及び図１１の拡大平面図に示すとおり、上舌片８ａ及び下舌片８ｂを枠体９から独立させ、片持ち梁式に裏面５に結合し、自身の弾性で上下方向に撓むようにしても良い。因みに、棚板押さえ具１を単に係止穴に取り付けるためであれば、舌片８ａ、８ｂを上下ではなく左右に設けることも考えられるが、本体部２の下面６又は上面７で棚板の上方への飛び出しを防止するという意味からは、舌片８ａ、８ｂは上下方向に設けられているのが好ましい。また、嵌合部３の構造は上述したものに限られず、側板又は支柱に形成されている係止穴に嵌合し、本発明の棚板押さえ具１を取り付けることができるものであれば、原則として、どのような構造であっても良い。
【００３０】
図１２は本発明の棚板押さえ具１が適用される棚１００の一例を示す斜視図である。図１２において、１０１は左右一対の側板、１０２は底板、１０３は天板、１０４は係止穴用金具であり、係止穴用金具１０４には上下方向に等間隔に複数の同形、同大の係止穴１０５が設けられている。
【００３１】
図１３は側板１０１の組立図である。図１３に示すように、側板１０１の内側表面には縦方向に２本の溝１０６が形成されており、係止穴用金具１０４を溝１０６内にはめ込み、取り付けネジ１０７で固定することによって、側板１０１に縦方向に２本の係止穴１０５の列が形成される。係止穴用金具１０４は、水平断面がコの字状をしており、そのコの字の開口側を溝１０６側に向けて溝１０６に取り付けられるので、複数の係止穴１０５の内側には、本来は溝１０６であった空間が、係止穴１０５の開口部よりも上下方向及び左右方向に広がった空間として形成されることになる。１０８は取り付けネジ１０７のネジ孔である。
【００３２】
図１４は側板１０１を係止穴用金具１０４を含む位置で側板１０１の内側面に対して垂直な鉛直面で切断したＷ−Ｗ‘部分拡大断面図である。図１４において、Ｖは係止穴１０５の内側に広がる空間であり、図から明らかなように、空間Ｖは係止穴１０５の上下方向及び左右方向に広がりを有している。１０９は支持具、１１０は棚板であり、棚板１１０は厚さＤ１を有している。
【００３３】
本例において支持具１０９は、同じ出願人による特許第４７４６８３１号公報に開示されている断面がＮ字型の金具であり、その一方の端部を係止穴１０５内に挿入、係止することによって係止穴１０５に取り付けられている。支持具１０９の他方の端部は棚板１１０の側端部に設けられている係合穴１１１に係合している。このように、棚板１１０は、係止穴１０５と、係止穴１０５に取り付けられている支持具１０９によって、側板１０１に対して支持、懸架されている。
【００３４】
Ｃは棚板１１０が支持されている係止穴１０５の一つ上に位置する係止穴１０５の上下方向の中心を通る水平な中心線であり、Ｓ１は中心線Ｃから棚板１１０の上面までの垂直方向距離である。本発明の棚板押さえ具１において、嵌合部３の上下方向の中心を示す中心線Ｌから本体部２の下面６までの垂直方向距離Ｍは、棚板押さえ具１が取り付けられる予定の係止穴１０５の上下方向の中心線Ｃから、その下方に支持、懸架されている棚板１１０の上面までの垂直方向距離Ｓ１と等しいか、垂直方向距離Ｓ１よりも若干長くなるように設定されている。
【００３５】
図１５は、棚板押さえ具１を、図１４に示す向きのままで、棚板１１０が支持懸架されている係止穴１０５のすぐ上に位置する係止穴１０５に取り付けた状態を示す図である。図１５に示すとおり、嵌合部３を係止穴１０５に嵌合して、棚板押さえ具１を棚板１１０の上方に位置する係止穴１０５に取り付けると、棚板押さえ具１の本体部２の下面６は棚板１１０の上面と当接し、棚板１１０を下方に向かって押圧する。これにより、たとえ地震等によって棚板１１０に上方に突き上げる外力が作用しても、棚板１１０はその上方への移動が制限され、上方に飛び出すこともなければ、支持具１０９から外れて落下することもない。
【００３６】
なお、図１５には棚１００の左側の側板１０１の手前側に位置する係止穴１０５に取り付けた棚板押さえ具１しか示していないが、棚板１１０の棚の奥行き側に形成されている同じ高さに位置する係止穴１０５や、対向する右側の側板に形成されている同じ高さに位置する係止穴１０５にも棚板押さえ具１を取り付けることができるのは勿論である。本発明の棚板押さえ具１によれば、一枚の棚板あたり、好ましくは左右前後の４箇所、少なくとも対角線上の２箇所の係止穴１０５に棚板押さえ具１を取り付けることによって、棚板１１０の上方への飛び出しや、支持具１０９からの落下を防止することができる。
【００３７】
図１６は、係止穴１０５に嵌合した状態にある嵌合部３とその周辺部だけを拡大して示す部分拡大断面図である。図に示すとおり、嵌合部３を係止穴１０５に挿入、嵌合して、棚板押さえ具１が本体部２の裏面５の一部を係止穴１０５の周辺部に当接させた状態で係止穴１０５に取り付けられた状態において、山型の凸部１１の上下舌片８ａ、８ｂ根元側の傾斜１１ａは、係止穴１０５を形成している係止穴用金具１０４の係止穴１０５の内側、すなわち空間Ｖ側の縁部と当接している。係止穴１０５に嵌合した状態で、上舌片８ａには、その弾性によって上向きに戻ろうとする力が、また、下舌片８ｂには、その弾性によって下向きの戻ろうとする力が作用しているので、傾斜１１ａが係止穴１０５の内側縁部と当接している嵌合部３には、自身を係止穴１０５の内側に引き入れようとする図中矢印で示す力が作用し、棚板押さえ具１の係止穴１０５への取り付け状態は、より安定したものとなる。
【００３８】
図１７は、図１４と同じく、側板１０１を係止穴用金具１０４を含む位置で側板１０１の内側面に対して垂直な鉛直面で切断して示す部分拡大断面図であり、棚板１１０の厚さがＤ１ではなく、Ｄ２である点で図１４に示す場合とは異なっている。図１７において、Ｃは棚板１１０が支持されている係止穴１０５の一つ上に位置する係止穴１０５の上下方向の中心を通る水平な中心線であり、Ｓ２は中心線Ｃから棚板１１０の上面までの垂直方向距離である。棚板１１０の厚さがＤ２であるので、垂直方向距離Ｓ２は当然に垂直方向距離Ｓ１とは異なり、棚板押さえ具１における嵌合部３の上下方向中心から下面６までの垂直方向距離Ｍとも異なっている。
【００３９】
このような場合であっても、棚板押さえ具１における嵌合部３の上下方向の中心を示す中心線Ｌから本体部２の上面７までの垂直方向距離Ｎを、上記垂直方向距離Ｓ２と等しいか、垂直方向距離Ｓ２よりも若干長くなるように設定しておくことにより、本発明の棚板押さえ具１は厚さＤ２の棚板１１０にも対応可能である。
【００４０】
すなわち、図１８は、棚板押さえ具１を、図１７に示す向きとは上下逆にして、棚板１１０が支持、懸架されている係止穴１０５のすぐ上に位置する係止穴１０５に取り付けた状態を示す図である。垂直方向距離Ｎが垂直方向距離Ｓ２と等しいか、垂直方向距離Ｓ２よりも若干長くなるように設定されているので、図１８に示すとおり、棚板押さえ具１を上下逆向きにして棚板１１０の上方に位置する係止穴１０５に取り付けると、棚板押さえ具１の本体部２の上面７は棚板１１０の上面と当接して棚板１１０を下方に向かって押圧し、上方への飛び出しや、支持具１０９からの落下を有効に防止することになる。
【００４１】
このように、本発明の棚板押さえ具１においては、嵌合部３の上下方向の中心から下面６及び上面７までの垂直方向距離Ｍと垂直方向距離Ｎとを異ならせ、使用が予定されている厚さの異なる棚板に対応させておくことにより、棚板１１０を厚さの異なる棚板に変更した場合でも、取り付ける向きを上下逆にするだけで簡単に対応することが可能である。なお、本発明の棚板押さえ具１において垂直方向距離Ｍと垂直方向距離Ｎとは同じであっても良く、同じである場合には、取り付ける際に上下方向の向きに配慮する必要がなくなるという利点が得られる。
【００４２】
図１９は本発明の棚板押さえ具１の他の一例を示す平面図、図２０はその水平断面図である。本例の棚板押さえ具１においては、本体部２の水平断面形状は、裏面５側を弦とする弓形状である。このように、本体部２の水平断面形状が弓形である場合には、水平断面形状が円弧状である場合に比べて、棚板押さえ具１を係止穴１０５に取り付けたときに、裏面５と係止穴１０５の周辺部との接触面積が大きくなり、棚板押さえ具１の取り付け状態が安定するという利点が得られる。なお、本体部２の水平断面形状が弓形状である場合にも、先に円弧状である場合について述べたと同様の理由により、弓形の中心角αは１８０度以下であるのが好ましく、９０度以上１５０度以下がより好ましく、１００度以上１４０度以下が最も好ましい。
【００４３】
図２１は本発明の棚板押さえ具１のさらに他の一例を示す平面図であり、本例において、本体部２の水平断面形状は四角形である。また、本例においては、可撓部１０は設けられていない。本体部２の水平断面形状が四角形である場合には、棚板押さえ具１を係止穴１０５に取り付けたときに、本体部２の裏面５と係止穴１０５の周辺部との接触面積が大きくなり、棚板押さえ具１の取り付け状態が安定するという利点が得られる。
【００４４】
図２２は本発明の棚板押さえ具１のさらに他の一例を示す平面図であり、本例において、本体部２の水平断面形状は裏面５側を開口側とするコの字型状である。本体部２の水平断面形状がコの字型状である場合には、上下の舌片８ａ、８ｂの長さを長くとることができるので、上下の舌片８ａ、８ｂの弾性を増し、取り付け、取り外しを容易に行うことができるという利点が得られる。また、本体部２の水平断面形状が、本体部の裏面側を弦とする円弧状である場合と同様に、棚板押さえ具１の本体部２の裏面と係止穴周辺部との間に間隙が形成されるので、その間隙に指先やドライバーの先端などを差し入れて棚板押さえ具１を簡単に取り外すことができるという利点も得られる。
【００４５】
図２３は本発明の棚板押さえ具１のさらに他の一例を示す正面図である。図に示すとおり、本例の棚板押さえ具１はその本体部２の下面６が水平よりも角度βだけ傾斜している。このように、本体部２の下面６を傾斜させることにより、傾斜して支持、懸架される棚板に対しても本発明の棚板押さえ具１を適用することが可能となる。なお、下面６の傾斜角度βが、支持、懸架される棚板の傾斜角度と一致していることはいうまでもない。
【００４６】
以上は、本発明の棚板押さえ具１を、内側の少なくとも上下方向に広がりを有している係止穴１０５に取り付ける場合について説明したが、本発明の棚板押さえ具は、例えば、ダボのように内側に広がりを有しない円筒形状の係止穴に取り付けて使用しても良いことは勿論であり、その場合には、嵌合部３の形状や構造を円筒形状の係止穴に嵌合できるものにすれば良い。
【産業上の利用可能性】
【００４７】
以上述べたとおり、本発明の棚板押さえ具によれば、簡単な部材を用い、簡単な作業で、各種の棚における棚板を所定の位置に保持することが可能となり、地震等によって上方に突き上げる外力が作用した場合でも、棚板が上方に飛び出して収容物が落下したり、棚板自体が支持具から外れて落下したりする危険性を著しく低減することが可能となる。本発明は、図書館や各種商店、事務所等に設備されている書架を始めとする各種の棚の安全性の向上に大いに貢献するものであり、その産業上の利用可能性は多大である。
【符号の説明】
【００４８】
１            棚板押さえ具
２            本体部
３            嵌合部
４            表面
５            裏面
６            下面
７            上面
８ａ、８ｂ    舌片
９            枠体
１０            可撓部
１１            凸部
１００            棚
１０１            側板
１０２            底板
１０３            天板
１０４            係止穴用金具
１０５            係止穴
１０６            溝
１０７            取り付けネジ
１０８            ネジ孔
１０９            支持具
１１０            棚板
【図１】
0005612062.tif 000002
【図２】
0005612062.tif 000003
【図３】
0005612062.tif 000004
【図４】
0005612062.tif 000005
【図５】
0005612062.tif 000006
【図６】
0005612062.tif 000007
【図７】
0005612062.tif 000008
【図８】
0005612062.tif 000009
【図９】
0005612062.tif 000010
【図１０】
0005612062.tif 000011
【図１１】
0005612062.tif 000012
【図１２】
0005612062.tif 000013
【図１３】
0005612062.tif 000014
【図１４】
0005612062.tif 000015
【図１５】
0005612062.tif 000016
【図１６】
0005612062.tif 000017
【図１７】
0005612062.tif 000018
【図１８】
0005612062.tif 000019
【図１９】
0005612062.tif 000020
【図２０】
0005612062.tif 000021
【図２１】
0005612062.tif 000022
【図２２】
0005612062.tif 000023
【図２３】
0005612062.tif 000024